(57)【要約】【課題】スクリュー脱水機におけるスクリーンの目詰まりを除去する洗浄を効果的に行うようにする。【構成】横形にしたスクリュー２を囲むスクリーン３をそなえ、このスクリーン３を囲むケーシング５を。５角形断面に形成して底板６をＶ状に張り出させ、Ｖ状にした底板６の一方端に排水口９をそなえ、スクリューの軸方向に排水管１２を取り付けている。このケーシング５内のスクリーン上方に温水を噴射する温水ノズル２０を設け、洗浄に先立ってスクリーン３の外周面に温水を供給する。ケーシング５の上面および側面に設けた開口部７、８に、透明なカバー１０、１１を設け、要すれば照明灯２０をそなえて脱水状況やスクリーンの目詰まりの状態を観察できるようにしている。【選択図】        図２
2004243242.tif 000002
【特許請求の範囲】
【請求項１】
スクリューを囲むスクリーンをそなえ、前記スクリーンを囲むケーシングと、ケーシング内に前記スクリーンを洗浄する洗浄ノズルをそなえたスクリュープレス脱水機において、スクリーンの上部から温水の洗浄液を噴射する温水ノズルを設けたことを特徴とするスクリュー脱水機。
【請求項２】
スクリューを横方向に設け、このスクリューを囲むスクリーンをそなえ、前記スクリーンを囲むケーシングと、ケーシング内に前記スクリーンを洗浄する洗浄ノズルをそなえたスクリュー脱水機において、ケーシングが底板をＶ状にした５角形断面で形成され、Ｖ状にした底板の一方端に排水口をそなえ、前記排水口に連通してスクリューの軸方向に取り付けた排水管を設けたことを特徴とするスクリュー脱水機。
【請求項３】
前記ケーシングの上面および側面の少なくとも一方に、開口部と、この開口部を覆うカバーをそなえ、前記カバーが透明板である請求項１または２のスクリュー脱水機、
【請求項４】
前記ケーシング内に、照明灯をそなえている請求項３のスクリュー脱水機。
【発明の詳細な説明】
【０００１】
【発明の属する技術分野】
本発明は、ディスポーザーによって破砕された厨芥などのスラリーを脱水し、固形物として排出させるようにしたスクリュープレス式の脱水機に係り、とくにスクリーンの洗浄を良好に行うようにしたものである。
【０００２】
【従来の技術】
スラリーを脱水して固形化するスクリュー脱水機は、ケーシング内に固定した筒状スクリーンの内側にスクリューを設け、スクリーンの一方端の開口部から水を含んだ厨芥などのスラリーを供給し、他方端にばねで押圧した押さえ蓋をそなえており、スクリューの一方端から供給されるスラリーを、スクリューと押さえ蓋によりスクリーン内で圧縮して脱水し、固形化されたスラリーが押し蓋を押し開いて、その間隙から排出されるようにしているが、スクリーンの濾孔が、水とともに排出される微小な繊維質などによって目詰まりを生じ、脱水能力を低下させる。このため、
【特許文献１】特開平２００１−１４９７０９号では、スクリーン部を密閉カバーで覆って内部に水を満たし、超音波発生器により超音波を照射して洗浄するようにしている。
【特許文献１】特開平２００１−１４９７１０号では、スクリーンの内部に洗浄水を供給して付着した汚泥を排出させ、スクリーン外面に残った汚泥をスクリーン外部の洗浄ノズルから噴射させた洗浄水で洗い落とすようにしており、洗浄水に気泡を混入し、または、洗浄水の圧力変化を繰り返し与えて洗浄効果を増大させるようにしている。
【０００３】
【発明が解決しようとする課題】
このように、スクリュー脱水機におけるスクリーンの濾孔に詰まった残渣は、スクリーン外部の洗浄ノズルによって洗浄するようにしているが、外面への洗浄水の噴射だけでは十分な洗浄が行われないおそれがあり、超音波発生器のような装置を付け加えたり、スクリーンの内側から洗浄水で排出させるものでは、構造が複雑になり脱水機のコストが増大する欠点があった。
本発明は、スクリーン外部からの洗浄ノズルにより噴射を行わせるスクリーン脱水機において、簡単な機構によりスクリーンの濾孔に詰まった残渣を有効に除去するための構造を提供する。
【０００４】
【課題を解決するための手段】
このため本発明は、スクリーンを囲むケーシングと、ケーシング内に前記スクリーンの外面から洗浄する洗浄ノズルをそなえ、前記スクリーンの上方に、温水の洗浄液をスクリーン面に噴射するノズルを設けている。なお、温水ノズルを別個に設けないで外面から洗浄する洗浄ノズルに温水を供給することもできる。
また、スクリーンを囲むケーシングを５角形断面に形成し、Ｖ状にした底板をそなえ、この底板の一方端に排水口を設け、この排水口にスクリューの軸方向に取り付けた排水管を連通させており、ケーシング内の底部に多量の排水を溜めることができ、スクリーンを洗浄する洗浄水の量を多くしてもケーシングから溢れることがなく、十分な洗浄を行い、洗浄排水の排出も円滑に行えるようにしている。
また、このケーシングの上面あるいは側面に設けた開口部に透明なカバーを設けて、内部の状況を観察でき、洗浄を適切な時期に確実に実施することができるようにしている。
【０００５】
【発明の実施の形態】
これを厨芥処理機に使用した実施例について説明する。
１はスクリュードラム、２はスクリュー、３はスクリーン、４は押さえ蓋、５はケーシング、６はケーシング５のＶ状にした底板、７はケーシング上面の開口部、８は側面に設けた開口部、９は底板６の一方端に設けた排水口、１０は前記開口部７を覆う透明なカバー、１１は側面の開口部８を覆うカバー、１２は排水口９に連通させた排水管、１３は基台、１４はスクリュードラムの駆動軸、１５は駆動モータ、１６はチェーン、１７は排出口カバー、１８はケーシング内でスクリーン３に洗浄水を噴射する洗浄ノズル、１９はスクリーン３の上部から温水を供給する温水ノズル、２０は防水構造にした照明灯である。
【０００６】
水を含んだ厨芥は、スクリュードラム１とスクリーン３の間に、スクリーン左端の図示されていない供給口から送り込まれ、スクリュー２に沿って右方に送られ、圧縮されて押さえ蓋４を押し開いて排出される。
スクリーン３には多数の濾孔が設けられており、この濾孔は、供給口側は十分に水を排出するよう細長くした孔を千鳥状に形成し、押さえ蓋４側は排出よりも圧縮を十分に行わせるように、長さを小さくしたり丸い小孔にすることが望ましい。
スクリュー２により厨芥が送られると、スクリーン３を介して水分が排出されるとともに、小さい厨芥屑がスクリーン３の濾孔にからまって目詰まりを生じさせ、脱水能力が低下する。このため、定期的あるいはカバー１０を通してスクリーン３の状態を観察し、脱水を停止させて。洗浄ノズル１８から洗浄水を噴射させてスクリーン３に付着した厨芥屑を洗い流すが、洗浄水の噴射に先立って、温水ノズル１９から、たとえば４０〜７０℃の温水をスクリーン３の外周面に供給する。この温水によってスクリーンに付着した厨芥屑が柔らかくなって落ちやすくなり、洗浄ノズル１８による洗浄効果を増大させる。
なお、図の実施例では、温水ノズル１９を別個に設けているが、洗浄ノズル１８を用い、たとえば、バルブを切り換えて初めに温水を供給し、その後に洗浄水を噴射させるようにしてもよく、温水が十分に供給できる場合は、継続して温水を噴射させて洗浄を行わせても良い。
【０００７】
スクリーン３の洗浄には大量の洗浄水が噴射されるが、スクリーン３から落ちた水は、ケーシング５の底板６が下方に張り出してＶ状に形成されているのでＶ状部分に溜まり、排水がスクリーン３の下部に触れて洗浄効果を低下させたり、ケーシング５から外部に溢れることを防止でき、排水口９から排水管１２に排出される。
【０００８】
脱水中の状態や洗浄の状態は、ケーシング５の上部の開口部７を覆う透明なカバー１０を通して観察することができ、必要があれば、照明灯２０を設けて観察する時に点灯させる。また、側面の開口部８を覆うカバー１１も透明にして内部を観察できるようにしてもよい。
【０００９】
【発明の効果】
このように本発明は、スクリューを囲むスクリーンをそなえ、前記スクリーンを囲むケーシングと、ケーシング内に前記スクリーンを洗浄する洗浄ノズルをそなえたスクリュープレス脱水機において、洗浄に先立ってスクリーンの上部から温水を供給するようにしており、温水によりスクリーンに付着した厨芥屑を柔らかくして、洗浄水の噴射による除去を効率良く行わせることができ、洗浄時間を短縮できる効果がある。
【００１０】
また、横方向に設けたスクリュー脱水機のスクリーンを囲むケーシングを、５角形断面に形成し、底板をＶ状に下方に張り出させ、その一方端に排水口を設けてスクリューの軸方向の排水管に連通させているので、大量の洗浄水が噴射されても、Ｖ状部分で十分に水を溜めることができ、排水管をスクリューの軸方向に連結してあるので、ケーシング下部に排水用配管などを設けるスペースを不要にし、全体を小型にすることができる。
【００１１】
なお、ケーシングの上面および側面の少なくとも一方に開口部を設けて組み立てを容易にするとともに、この開口部を覆うカバーを透明板にすることによって内部を観察でき、脱水状況やスクリーンの状態を確認でき、照明灯をそなえておけば観察が容易確実に行うことができる。
【図面の簡単な説明】
【図１】本発明を実施例を示す側断面図である。
【図２】図１のＡ−Ａ線に沿った部分断面図である。
【符号の説明】
１  スクリュードラム
２  スクリュー
３  スクリーン
４  押さえ蓋
５  ケーシング
６  底板
７、８  開口部
９  排水口
１０、１１  カバー
１２  排水管
１３  基台
１４  駆動軸
１５  駆動モータ
１６  チェーン
１７  排出口カバー
１８  洗浄ノズル
１９  温水ノズル
２０  照明灯
【図１】
2004243242.tif 000003
【図２】
2004243242.tif 000004